(57)【特許請求の範囲】
【請求項１】
棒状化粧品を支持する皿、この皿の底面中央部より下方へ突出する下端部を除く部位の外周部にねじ山が形成されたねじ棒とからなる皿部材と、この皿部材のねじ棒のねじ山と螺合するほぼ半回転あるいは１回転の雌ねじ部が上部内壁面に形成された螺旋体とを備える棒状化粧品の収納容器において、前記螺旋体の半回転の雌ねじ部の両端部に形成されたねじ溝あるいは１回転の雌ねじ部に形成された１個のねじ溝と、この両端部のねじ溝の一方のねじ溝より９０度の位置まで位置し、あるいは１個のねじ溝より１８０度の範囲で、前記雌ねじ部の下部位置の螺旋体の内壁面にストッパー兼ガイド用のねじ山を形成するとともに、前記皿部材に該皿部材のねじ棒の下端部寄りの部位に形成された前記ねじ溝を通過でき、かつ皿部材と螺旋体の回転により前記ストッパー兼ガイド用のねじ山と係合して、前記ねじ棒のねじ山が螺旋体の雌ねじ部と螺合するようにねじ棒を引き込み、かつ前記皿部材を上死点に位置するように皿部材と螺旋体を回動させると、前記ストッパー兼ガイド用のねじ山の端部と当接するストッパー片とを設けたことを特徴とする棒状化粧品の収納容器。
【請求項２】
皿部材のねじ棒に形成されたねじ山は２条で、下端部寄りの対向部位にストッパー片が形成されており、螺旋体の雌ねじ部も２条で、かつ対向する部位にねじ溝およびストッパー兼ガイド用のねじ山が形成されていることを特徴とする請求項１記載の棒状化粧品の収納容器。
【請求項３】
螺旋体の雌ねじ部のねじ溝内に皿部材のねじ棒のストッパー片の通過が可能で、該ねじ棒が外れるのを防止する係合突片が形成されていることを特徴とする請求項１記載の棒状化粧品の収納容器。
【発明の詳細な説明】
【技術分野】
【０００１】
本発明は口紅、リップクリーム、アイライン等の棒状化粧品を収納する棒状化粧品の収納容器に関する。
【背景技術】
【０００２】
従来の棒状化粧品を支持する皿、この皿の底面中央部より下方へ突出する外周部にねじ山が形成されたねじ棒とからなる皿部材と、この皿部材のねじ棒のねじ山と螺合するほぼ１回転の雌ねじ部が上部内壁面に形成された螺旋体とを備える棒状化粧品の収納容器は、前記ねじ棒の下端部に雌ねじ部を押し込みにより通過するストッパー部を形成している。
このようなストッパー部を形成したものは皿部材を上死点に位置させるように回動させると、ストッパー部にジャッキーのような作用をして、ストッパー部を損傷してしまうなどの不具合があった。
この不具合を解消するために、ねじ棒の下端部寄りの部位をコ字状に切欠部を形成してストッパー片を形成して、このストッパー片で皿部材を上死点に位置させるように回動させるとストッパー片で回転を止めることも考えられているが、皿部材を螺旋体にセットする場合、皿部材のストッパー片が螺旋体の雌ねじ部を通過させなければならず、頑丈なストッパー片を形成することができず、ストッパー片が弱いと回転時のねじ力に負けて、皿部材が螺旋体より外れてしまうという欠点があった。
【先行技術文献】
【特許文献】
【０００３】
【特許文献１】特開平８−１２６５２６
【発明の概要】
【発明が解決しようとする課題】
【０００４】
本発明は以上のような従来の欠点に鑑み、螺旋体と皿部材のセット作業を容易に行なうことができるとともに、皿部材を上死点に位置させるように回動させると、上死点部位で皿部材と螺旋体との回動を不能にでき、かつ皿部材が螺旋体より抜けたりする不具合を確実に阻止することができる棒状化粧品の収納容器を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は棒状化粧品を支持する皿、この皿の底面中央部より下方へ突出する下端部を除く部位の外周部にねじ山が形成されたねじ棒とからなる皿部材と、この皿部材のねじ棒のねじ山と螺合するほぼ半回転あるいは１回転の雌ねじ部が上部内壁面に形成された螺旋体とを備える棒状化粧品の収納容器において、前記螺旋体に該螺旋体の雌ねじ部に形成されたねじ溝と、このねじ溝の端部よりねじ溝部へ位置しない所まで、前記雌ねじ部の下部位置の螺旋体の内壁面にストッパー兼ガイド用のねじ山を形成するとともに、前記皿部材に該皿部材のねじ棒の下端部寄りの部位に形成された前記ねじ溝を通過でき、かつ皿部材と螺旋体の回転により前記ストッパー兼ガイド用のねじ山と係合して、前記ねじ棒のねじ山が螺旋体の雌ねじ部と螺合するようにねじ棒を引き込み、かつ前記皿部材を上死点に位置するように皿部材と螺旋体を回動させると、前記ストッパー兼ガイド用のねじ山の端部と当接するストッパー片とを設けて棒状化粧品の収納容器を構成している。
【発明の効果】
【０００８】
以上の説明から明らかなように、本発明にあっては次に列挙する効果が得られる。
（１）請求項１によって、螺旋体の雌ねじ部のねじ溝に皿部材のねじ棒の下端部寄りの部位に形成されたストッパー片を位置させ、押し込み、皿部材と螺旋体を回転させることにより、ストッパー兼ガイド用のねじ山に当接するストッパー片によって、ねじ棒が螺旋体内に引き込まれるとともに、ねじ棒のねじ山と螺旋体の雌ねじ部と螺合し、皿部材と螺旋体の回転により、皿部材を上下移動させることができる。
【０００９】
したがって、螺旋体への皿部材のセット作業を容易に行なうことができる。
（２）前記（１）によって、皿部材を上死点に位置させると、皿部材のねじ棒のストッパー片が螺旋体のストッパー兼ガイド用のねじ山の端部と当接し、回動不能となる。
【００１０】
このため、不必要な力が加わっても、従来のようにねじ力が加わったりすることなく、損傷を効率よく阻止することができる。
（３）前記（１）によって、構造が簡単で、容易に実施することができる。
（４）請求項２も前記（１）〜（３）と同様な作用効果が得られる。
（５）請求項３も前記（１）〜（３）と同様な作用効果が得られるとともに、ねじ溝内に形成された係合突片によって、螺旋体から皿部材の抜け脱を効率よく阻止することができる。
【図面の簡単な説明】
【００１１】
【図１】本発明を実施するための第１の形態の縦断面図。
【図２】本発明を実施するための第１の形態の皿部材の正面図。
【図３】本発明を実施するための第１の形態の皿部材の側面図。
【図４】本発明を実施するための第１の形態の皿部材の底面図。
【図５】本発明を実施するための第１の形態の螺旋体の正面図。
【図６】本発明を実施するための第１の形態の螺旋体の平面図。
【図７】図６の７−７線に沿う断面図。
【図８】本発明を実施するための第１の形態の筒部材の一部破断説明図。
【図９】皿部材を螺旋体にセットする時の押し込み状態の説明図。
【図１０】皿部材を回動させてねじ山と雌ねじ部を螺合させる説明図。
【図１１】皿部材を上・下移動させる状態の説明図。
【図１２】皿部材を上死点に位置させた状態の説明図。
【図１３】図１２の１３−１３線に沿う断面図。
【図１４】本発明を実施するための第２の形態の縦断面図。
【図１５】本発明を実施するための第２の形態の螺旋体の断面図。
【図１６】本発明を実施するための第２の形態の螺旋体の一部破断分解斜視図。
【図１７】本発明を実施するための第３の形態の縦断面図。
【図１８】本発明を実施するための第３の形態の皿部材の説明図。
【図１９】本発明を実施するための第３の形態の螺旋体の一部破断説明図。
【図２０】図１９の２０−２０線に沿う断面図。
【発明を実施するための形態】
【００１２】
以下、図面に示す本発明を実施するための形態により、本発明を詳細に説明する。
【００１３】
図１ないし図１３に示す本発明を実施するための第１の形態において、１は本発明の口紅等の棒状化粧品２を収納する棒状化粧品の収納容器で、この棒状化粧品の収納容器１は上部外周部にキャップ嵌合部３が形成されたハカマ部材４と、このハカマ部材４内に挿入固定された合成樹脂材製の螺旋体５と、この螺旋体５に螺合された合成樹脂材製の皿部材６と、この皿部材６の外周部を覆う下端部が前記螺旋体５に回転可能に嵌合された筒部材７と、この筒部材７を覆い、下端部が前記ハカマ部材４のキャップ嵌合部３と着脱可能に嵌合するキャップ８とで構成されている。
【００１４】
前記皿部材６は図２ないし図４に示すように、口紅等の棒状化粧品２の下部を収納支持する皿９と、この皿９の下部寄りの外周部に軸心方向にわずかに突出形成された複数個の係合片１０、１０、１０、１０と、前記皿９の底面中央部より下方へ突出し、かつ下端部を除く部位の外周部に２条のねじ山１１、１１が形成されたねじ棒１２と、このねじ棒１２の下端部寄りの対向する外周部に外方へ突出するように形成された長方体形状のストッパー片１３、１３とで構成されている。
【００１５】
前記螺旋体５は図５ないし図７に示すように、筒状の螺旋体本体１４と、この螺旋体本体１４の上部外周部に形成された前記筒部材７の下部内へ挿入される筒部材挿入凹部１５と、この筒部材挿入凹部１５の上部位置の前記螺旋体本体１４の外周部に形成されたＯリング１６を挿入するＯリング挿入リング溝１７と、このＯリング挿入リング溝１７の下部位置で、かつ筒部材挿入凹部１５位置の前記螺旋体本体１４の外周部に形成された、前記筒部材７を回転可能にカシメ部１８を位置させるカシメ凹部１９と、前記螺旋体本体１４の上部内壁面に形成された対向する部位にねじ溝２０、２０が形成された前記皿部材６のねじ山１１、１１と螺合するほぼ半回転の雌ねじ部２１、２１と、前記ねじ溝２０、２０が位置する部位の下部位置に形成された前記ストッパー片１３、１３の通過が可能で、ねじ棒１２が外れるのを防止する係合突片２２、２２と、この係合突片２２、２２の下部位置の前記螺旋体本体１４の内壁面に、該雌ねじ部２１、２１のねじ山の幅寸法の約２倍の幅寸法で、前記ねじ溝２０、２０の端部より約９０度の位置まで位置するように形成されたストッパー兼ガイド用のねじ山２３、２３とで構成されている。
【００１６】
前記筒部材７は図８に示すように、上面が傾斜面２４に形成された筒部材本体２５と、この筒部材本体２５の上端部および下端部を除く内壁面に形成された、前記皿部材６の複数個の係合片１０、１０、１０、１０と係合する係合凹部２６、２６、２６、２６とで構成されている。
【００１７】
上記構成の棒状化粧品の収納容器１は螺旋体５の雌ねじ部２１、２１のねじ溝２０、２０内に皿部材６のねじ棒１２のストッパー片１３、１３を位置させ、図９に示すようにねじ溝２０、２０内に位置する係合突片２２、２２を通過するように押し込む。
【００１８】
しかる後、図１０に示すように皿部材６と螺旋体５とを皿部材６が下降するように回動させると、ねじ棒１２のストッパー片１３、１３がストッパー兼ガイド用のねじ山２３、２３の下端部と係合し、ねじ棒１２を引き込み、該ねじ棒１２のねじ山１１、１１と螺旋体５の雌ねじ部２１、２１とを螺合させ、図１１に示すように皿部材６と螺旋体５の正・逆回転によって、螺旋体５より皿部材６を上下移動させることができる。
【００１９】
皿部材６を上死点に位置させると、皿部材６のねじ棒１２のストッパー片１３、１３は図１２および図１３に示すように螺旋体５のストッパー兼ガイド用のねじ山２３、２３の端部と当接し、それ以上の回動を阻止するとともに、ストッパー片１３、１３はねじ溝２０、２０以外の雌ねじ部２１、２１の下端部と当接し、螺旋体５より皿部材６が抜けたりするのを確実に阻止する。
【００２０】
皿部材６と螺旋体５とをセットした後、螺旋体５のＯリング挿入リング溝１７内にＯリング１６をセットし、筒部材６の下端部に螺旋体５の筒部材挿入凹部１５を挿入し、カシメ凹部１９部位でカシメ部１８を形成して、筒部材７を回転可能に取付ける。
【００２１】
この時、皿部材６の皿９の係合片１０、１０、１０、１０が筒部材７の係合凹部２６、２６、２６、２６と係合させ、皿部材６を筒部材７内を上下移動でき、かつ一体的に回動できるように取付ける。
【００２２】
その後、螺旋体５をハカマ部材４で覆うとともに、ハカマ部材４のキャップ嵌合部３にキャップ８を取付けることにより、組立てが完了する。
【００２３】
[発明を実施するための異なる形態]
次に、図１４ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１４ないし図１６に示す本発明を実施するための第２の形態において、前記本発明を実施するための第１の形態と主に異なる点は、筒状の螺旋体本体１４と、この螺旋体本体１４の上部内壁面に嵌合固定された、ねじ溝２０、２０が形成された雌ねじ部２１、２１、係合突片２２、２２、ストッパー兼ガイド用のねじ山２３、２３を備える嵌合部材２７とで構成した螺旋体５Ａを用いた点で、このように構成された螺旋体５Ａを用いて構成した棒状化粧品の収納容器１Ａにしても前記本発明を実施するための第１の形態と同様な作用効果が得られる。
【００２５】
図１７ないし図２０に示す本発明を実施するための第３の形態において、前記本発明を実施するための第１の形態と主に異なる点は、１条のねじ山１１Ａと１個のストッパー片１３を形成したねじ棒１２Ａを備える皿部材６Ａと、１個のねじ溝２０が形成された雌ねじ部２１およびねじ溝２０の端部より１８０度の範囲で形成されたストッパー兼ガイド用のねじ山２３Ａを形成した螺旋体５Ｂを用いた点で、このような皿部材６Ａと螺旋体５Ｂを用いて構成した棒状化粧品の収納容器１Ｂにしても、前記本発明を実施するための第１の形態と同様な作用効果が得られる。
【産業上の利用可能性】
【００２６】
本発明は口紅、リップクリーム、アイライン等の棒状化粧品の収納容器を製造する産業で利用される。
【符号の説明】
【００２７】
１、１Ａ、１Ｂ：棒状化粧品の収納容器、
２：棒状化粧品、      ３：キャップ嵌合部、
４：ハカマ部材、        ５、５Ａ、５Ｂ：螺旋体、  
６、６Ａ：皿部材、      ７：筒部材、
８：キャップ、      ９：皿、
１０：係合片、      １１、１１Ａ：ねじ山、
１２、１２Ａ：ねじ棒、    １３：ストッパー片、
１４：螺旋体本体、      １５：筒部材挿入凹部、
１６：Ｏリング、      １７：Ｏリング挿入リング溝、
１８：カシメ部、      １９：カシメ凹部、
２０：ねじ溝、      ２１：雌ねじ部、
２２：係合突片、
２３、２３Ａ：ストッパー兼ガイド用のねじ山、
２４：傾斜面、      ２５：筒部材本体、
２６：係合凹部、      ２７：嵌合部材。
【図１】
0005466923.tif 000002
【図２】
0005466923.tif 000003
【図３】
0005466923.tif 000004
【図４】
0005466923.tif 000005
【図５】
0005466923.tif 000006
【図６】
0005466923.tif 000007
【図７】
0005466923.tif 000008
【図８】
0005466923.tif 000009
【図９】
0005466923.tif 000010
【図１０】
0005466923.tif 000011
【図１１】
0005466923.tif 000012
【図１２】
0005466923.tif 000013
【図１３】
0005466923.tif 000014
【図１４】
0005466923.tif 000015
【図１５】
0005466923.tif 000016
【図１６】
0005466923.tif 000017
【図１７】
0005466923.tif 000018
【図１８】
0005466923.tif 000019
【図１９】
0005466923.tif 000020
【図２０】
0005466923.tif 000021